(57)【要約】      （修正有）【課題】髪に強固に挟持され、髪上で摺動することがないヘアクリップを提供する。【解決手段】ヘアクリップ１０は、左クリップ１、右クリップ２及びばね３を備える。左クリップ１は、押圧部１１、挟持部１２、位置決め座１３及び位置決め板１３１を有する。押圧部１１は、左クリップ１の一方の端部に位置する。挟持部１２は、左クリップ１の他方の端部に位置する。位置決め座１３及び位置決め板１３１は、押圧部１１と挟持部２２との間に配設される。右クリップ２は、押圧部２１、挟持部２２及び位置決め座２３を有する。押圧部２１は、右クリップ２の一方の端部に位置する。挟持部２２は、右クリップ２の他方の端部に位置する。位置決め座１３は、押圧部１１と挟持部１２との間に配設される。ばね３は、左クリップ１の位置決め座１３と右クリップ２の位置決め座２３との間に配設される。【選択図】図１
0003211215.tif 000002
【実用新案登録請求の範囲】
【請求項１】
左クリップ、右クリップ及びばねを備えたヘアクリップであって、
前記左クリップは、押圧部、挟持部、位置決め座及び位置決め板を有し、
前記押圧部は、前記左クリップの一方の端部に位置し、
前記挟持部は、前記左クリップの他方の端部に位置し、
前記位置決め座及び前記位置決め板は、前記押圧部と前記挟持部との間に配設され、
前記右クリップは、押圧部、挟持部及び位置決め座を有し、
前記押圧部は、前記右クリップの一方の端部に位置し、
前記挟持部は、前記右クリップの他方の端部に位置し、
前記位置決め座は、前記押圧部と前記挟持部との間に配設され、
前記ばねは、前記左クリップの前記位置決め座と前記右クリップの前記位置決め座との間に配設されるとともに、ピンを介して前記左クリップと前記右クリップとが固定され、
前記左クリップ及び前記右クリップの前記挟持部と、前記左クリップ及び前記右クリップの前記位置決め座の下方内面とには、植歯帯が設けられ、
使用者が髪を挟持する際、前記植歯帯の画成範囲がリング状に形成されるため髪を強固に挟持し、髪上で前記ヘアクリップが摺動することを防ぐことを特徴とするヘアクリップ。
【請求項２】
前記左クリップの前記位置決め板は、前記位置決め座の下側に隣接することを特徴とする請求項１に記載のヘアクリップ。
【請求項３】
前記植歯帯は、複数個の櫛歯を有することを特徴とする請求項１に記載のヘアクリップ。
【請求項４】
組立てが完成して自然に挟着した状態の前記ヘアクリップは、前記左クリップの前記位置決め座が前記右クリップの前記位置決め座の外側に着座し、前記右クリップの前記位置決め座が前記左クリップの前記位置決め座下の前記位置決め板の縁部に当接されることを特徴とする請求項１に記載のヘアクリップ。
【請求項５】
前記左クリップの外側には、縦垂直線Ｖが形成され、
前記縦垂直線Ｖからは、前記位置決め座に対して平行なベクトルＬが延び、
前記縦垂直線Ｖと前記ベクトルＬとのなす角度はθであり、
前記縦垂直線Ｖからは、前記左クリップの前記植歯帯上の複数個の櫛歯に対して平行なベクトルＭが延び、
前記縦垂直線Ｖと前記ベクトルＭとのなす角度はＡであり、
前記角度Ａは、前記角度θに等しく（Ａ＝θ）、前記縦垂直線Ｖからは、前記左クリップの前記植歯帯上の前記櫛歯に対して平行なベクトルＮが延び、前記縦垂直線Ｖと前記ベクトルＮとのなす角度はＢであり、前記角度Ｂは、前記角度θより大きい（Ｂ＞θ、Ｂ＞Ａ）ことを特徴とする請求項３に記載のヘアクリップ。
【請求項６】
前記左クリップの外側には、縦垂直線Ｖが形成され、
前記縦垂直線Ｖからは、前記位置決め座に対して平行なベクトルＬが延び、
前記縦垂直線Ｖと前記ベクトルＬとのなす角度はθであり、
前記縦垂直線Ｖからは、前記左クリップの前記植歯帯上の前記櫛歯に対して平行なベクトルＭが延び、
前記縦垂直線Ｖと前記ベクトルＭとのなす角度はＡであり、
前記角度Ａは、前記角度θに等しく（Ａ＝θ）、
前記縦垂直線Ｖからは、前記左クリップの前記植歯帯上の前記櫛歯に対して平行なベクトルＧが延び、
前記縦垂直線Ｖと前記ベクトルＧとのなす角度はＤであり、
前記角度Ｄは、前記角度θに等しい（Ｄ＝θ＝Ａ）ことを特徴とする請求項３に記載のヘアクリップ。
【考案の詳細な説明】
【技術分野】
【０００１】
本考案は、ヘアクリップに関し、特に、髪を強固に挟持し、髪上で摺動することがないヘアクリップに関する。
【背景技術】
【０００２】
従来のヘアクリップは、髪を挟持することができるが、髪上で摺動してしまい固定が困難であった。この問題点に鑑み、本考案者は、ヘアクリップの左クリップ及び右クリップの挟持部と、左クリップ及び右クリップの位置決め座の下方内面とに植歯帯が設けられ、使用者がヘアクリップで髪を挟持する際、植歯帯の画成範囲がリング状に形成され、髪を強固に挟持して髪上で摺動することを防ぐヘアクリップを開発した。
【考案の概要】
【考案が解決しようとする課題】
【０００３】
本考案の主な目的は、ヘアクリップの左クリップ及び右クリップの挟持部と、左クリップ及び右クリップの位置決め座の下方内面とに植歯帯が設けられ、複数個の植歯帯は、複数個の櫛歯を含み、使用者が髪を挟持する際、植歯帯が有する複数個の櫛歯の挟持画成範囲がリング状に形成され、ヘアクリップにより髪を強固に挟持して髪上で摺動することを防ぐヘアクリップを提供することにある。  
【図面の簡単な説明】
【０００４】
【図１】図１は、本考案の一実施形態に係るヘアクリップを示す斜視図である。
【図２】図２は、本考案の一実施形態に係るヘアクリップを示す分解斜視図である。
【図３】図３は、本考案の一実施形態に係るヘアクリップを示す正面図である。
【図４】図４は、本考案の一実施形態に係るヘアクリップの使用状態の説明図である。
【図５】図５は、本考案の一実施形態に係るヘアクリップの使用状態の説明図である。
【図６】図６は、本考案の他の実施形態に係るヘアクリップを示す正面図である。
【考案を実施するための形態】
【０００５】
図１及び図２を参照する。図１及び図２に示すように、本考案の一実施形態に係るヘアクリップ１０は、少なくとも左クリップ１、右クリップ２及びばね３から構成されてなる。左クリップ１は、押圧部１１、挟持部１２、位置決め座１３及び位置決め板１３１を有する。押圧部１１は、左クリップ１の一方の端部に位置し、使用者が押圧可能な弧状の押圧板でもよい。挟持部１２は、左クリップ１の他方の端部に位置する。位置決め座１３及び位置決め板１３１は、押圧部１１と挟持部１２との間に配設される。位置決め板１３１は、位置決め座１３の下側に隣接する。右クリップ２は、押圧部２１、挟持部２２及び位置決め座２３を有する。押圧部２１は、右クリップ２の一方の端部に位置する。挟持部２２は、右クリップ２の他方の端部に位置する。位置決め座２３は、押圧部２１と挟持部２２との間に配設される。前述したばね３は、左クリップ１の位置決め座１３と右クリップ２の位置決め座２３との間に配設されるとともに、左クリップ１の位置決め座１３の位置決め穴１３０と、右クリップ２の位置決め座２３の位置決め穴２３０とにピン４を挿通させて、ヘアクリップ１０を形成する。
【０００６】
前述した左クリップ１及び右クリップ２の挟持部１２，２２と、左クリップ１及び右クリップ２の位置決め座１３，２３の下方内面とには、植歯帯１４，１５，２４，２５が設けられる。複数個の植歯帯１４，１５，２４，２５は、複数個の櫛歯１４１，１５１，２４１，２５１をそれぞれ含む。
【０００７】
図３を参照する。図３に示すように、組立てが完成して自然に挟着した状態のヘアクリップ１０は、左クリップ１の位置決め座１３が右クリップ２の位置決め座２３の外側に着座し、右クリップ２の位置決め座２３が左クリップ１の位置決め座１３下の位置決め板１３１の縁部に当接される。
【０００８】
図３に示すように、自然に挟着された状態であるヘアクリップ１０は、左クリップ１と右クリップ２とが対照的な角度を有する。例えば、左クリップ１を例にとると、左クリップ１の外側には縦垂直線Ｖが形成される。縦垂直線Ｖからは、位置決め座１３に対して平行なベクトルＬが延びている。縦垂直線ＶとベクトルＬとのなす角度はθである。縦垂直線Ｖからは、左クリップ１の植歯帯１４上の複数個の櫛歯１４１に対して平行なベクトルＭが延びている。縦垂直線ＶとベクトルＭとのなす角度はＡである。角度Ａは、前述した角度θに等しい（Ａ＝θ）。縦垂直線Ｖからは、左クリップ１の植歯帯１５上の複数個の櫛歯１５１に対して平行なベクトルＮが延びている。縦垂直線ＶとベクトルＮとのなす角度はＢである。角度Ｂは、前述した角度θより大きい（Ｂ＞θ、Ｂ＞Ａ）。
【０００９】
図４及び図５を参照する。使用者が髪５を挟持する際、指で押圧部１１，２１を押圧すると、クリップ１，２の挟持部１２，２２が展開し、ヘアクリップ１０の挟持部１２，２２間に髪５を入れることができるようになる。使用者が指で押圧部１１，２１を開き、挟持部１２，２２は、ばね３の弾性回復力により髪５を挟持し、植歯帯１４，１５，２４，２５の複数個の櫛歯１４１，１５１，２４１，２５１の挟持画成範囲がリング状に形成されているため、髪５が強固に挟持されるとともに、植歯帯１４，１５上に形成された異なる角度を有する櫛歯１４１，１５１が髪５間に入り込むため、ヘアクリップ１０により髪５が強固に挟持される。そのため、髪５上でヘアクリップ１０が摺動してしまうことを防ぐことができる。
【００１０】
図６を参照する。図６に示すように、本考案の一実施形態に係るヘアクリップ１００は、左クリップ１、右クリップ２及びばね３を有する。例えば、左クリップ１を例にとると、左クリップ１の外側には縦垂直線Ｖが形成される。縦垂直線Ｖからは、位置決め座１３に対して平行なベクトルＬが延びている。縦垂直線ＶとベクトルＬとのなす角度はθである。縦垂直線Ｖからは、左クリップ１の植歯帯１４上の複数個の櫛歯１４１に対して平行なベクトルＭが延びている。縦垂直線ＶとベクトルＭとのなす角度はＡである。角度Ａは、前述した角度θに等しい（Ａ＝θ）。縦垂直線Ｖからは、左クリップ１の植歯帯１５上の複数個の櫛歯１５１に対して平行なベクトルＧが延びている。縦垂直線ＶとベクトルＧとのなす角度はＤである。角度Ｄは、前述した角度θに等しい（Ｄ＝θ＝Ａ）。
【００１１】
上述したことから分かるように、本考案のヘアクリップ１０の左クリップ１及び右クリップ２の挟持部１２，２２と、左クリップ１及び右クリップ２の位置決め座１３，２３の下方内面とには、植歯帯１４，１５，２４，２５が設けられる。複数個の植歯帯１４，１５，２４，２５は、複数個の櫛歯１４１，１５１，２４１，２５１を含み、使用者が髪５を挟持するとき、植歯帯１４，１５，２４，２５の複数個の櫛歯１４１，１５１，２４１，２５１の挟持画成範囲がリング状に形成され、ヘアクリップ１０により髪５を強固に挟持し、髪５上でヘアクリップ１０が摺動してしまうことを防ぐことができる。  
【符号の説明】
【００１２】
１  左クリップ
２  右クリップ
３  ばね
４  ピン
５  髪
１０  ヘアクリップ
１１  押圧部
１２  挟持部
１３  位置決め座
１４  植歯帯
１５  植歯帯
２１  押圧部
２２  挟持部
２３  位置決め座
２４  植歯帯
２５  植歯帯
１００  ヘアクリップ
１３０  位置決め穴
１３１  位置決め板
１４１  櫛歯
１５１  櫛歯
２３０  位置決め穴
２４１  櫛歯
２５１  櫛歯
Ａ  角度
Ｂ  角度
Ｌ  ベクトル
Ｍ  ベクトル
Ｎ  ベクトル
Ｖ  縦垂直線
θ  角度
【図１】
0003211215.tif 000003
【図２】
0003211215.tif 000004
【図３】
0003211215.tif 000005
【図４】
0003211215.tif 000006
【図５】
0003211215.tif 000007
【図６】
0003211215.tif 000008